(57)【要約】【課題】吸入パネル開口部が非常に長いため、成型後開口部にたわみが発生し、開口部の中央のみがたわんで狭くなると、導光材の挿入が困難になるため、樹脂成型時及び透明材挿入時に特別の注意を必要としていた。【解決手段】吸入パネル３中央の開口部９には、等間隔に補強リブ８を縦に設け、パネル両面から開口部にＬＥＤ２の光を透過するシール４、７を貼り付けた構成とすることにより、吸入パネルの構造強度を向上させ、樹脂成型時のたわみの発生を抑えることが可能となる。このため吸入パネル開口部に補強のための導光材を挿入する必要がなくなり、導光材の省略が可能となる。これにより、材料コストの合理化、組み立て工程の簡略化、更に工程不良の未然防止を図ることができる。【選択図】図１
2008032331.tif 000002
【特許請求の範囲】
【請求項１】
空気調和機室内ユニットの吸入パネルであって、前記吸入パネル中央部の、オートクリーンユニットのＬＥＤ視認用の開口部に補強リブを有し、前記開口部に透明シールを貼ったことを特徴とする吸入パネル。
【請求項２】
補強リブ側面に勾配をつけたことを特徴とする請求項１に記載の吸入パネル。
【請求項３】
補強リブ表面をパネル表面より一段落としたことを特徴とする請求項１または２に記載の吸入パネル。
【請求項４】
補強リブに角Ｒをとったことを特徴とする請求項１〜３のいずれか１項に記載の吸入パネル。
【請求項５】
開口部に貼った透明シールはメジューム印刷をしたシールであることを特徴とする請求項１〜４にのいずれか１項に記載の吸入パネル。
【発明の詳細な説明】
【技術分野】
【０００１】
本発明は光で運転状態を表示する表示部を備える吸入パネルに関するものである。
【背景技術】
【０００２】
従来、この種の吸入パネルは、光で運転状態を表示する表示部を備えており、吸入パネルに光を通す開口部と飾り台を固定するための引っ掛け部を設け、飾り台には吸入パネルの引っ掛け部に相対する位置に爪形状を設け固定し、表示部を構成している（例えば、特許文献１参照）。
【０００３】
図５は、特許文献１に記載された従来の吸入パネルの要部斜視図を示すものである。図５に示すように、吸入パネル３と、吸入パネル３に光を通す開口部９と、飾り台５と、開口部９と飾り台５とを固定するための引っ掛け部１０と、飾り台５には吸入パネル３の引っ掛け部１０に相対する位置に爪形状１１から構成されている。
【０００４】
また、未公開である先行出願、特願２００５−０８５４９１には、吸入パネルの表示材に相対する位置に開口部を設け、前記開口部裏面に透明のシートを貼付け、表面に導光部を設けた飾り台を貼付けた発明が記載されている。
【０００５】
図６は、特願２００５−０８５４９１に記載された従来のオートクリーンユニットが搭載されている空気調和機の一部破断斜視図を示すものである。吸入パネル背面には図６に示すようにオートクリーンユニット１があり、ユニット１が左右移動する際に、ユニット１中央に設置されたＬＥＤ２が左右に動くことで、吸入パネル３中央の開口部９から、ユニット１の移動が視認できるようになっている。
【０００６】
図７は従来のオートクリーンユニット搭載の空気調和機の断面図を示すものである。吸入パネル３を透明樹脂で成型し、中央ＬＥＤ２の移動が視認できる部分のみ残して塗装を施したものと、不透明樹脂で、中央ＬＥＤ２の移動が視認できる部分を開口部９として成型したものの２種類がある。この中でも不透明樹脂で構成された吸入パネル３は、開口部９裏面に透明シール４を貼付け、表面に導光部を設けた飾り台５を貼付けたことを特徴とするものである。図８に不透明樹脂と透明シール、飾り台で構成された吸入パネルの要部断面図を示す。
【０００７】
上記の構成によって、長範囲の光可動による表示部構成を可能とし、デザイン性に優れた前面パネルを提供するとともに、開口部を設けることで透明材より安い不透明材での成形を可能としていた。また、前面パネルの開口部の裏面に透明シール４を貼付けるとともに、透明樹脂で成形した導光材６をはめ込み、表面に導光部を設けた飾り台５を貼付けたことを特徴とするもので、この構成によって、導光材６が裏面の透明シールと表面の飾り台５にも接着され、表示部の強度アップを図っていた。
【特許文献１】特開２０００−１９３２６８号公報
【発明の開示】
【発明が解決しようとする課題】
【０００８】
前記従来の構成では吸入パネル開口部の補強のため、導光材を挿入する工程が発生していた。しかしながら、開口部が非常に長いため、成型後開口部にたわみが発生し、中央部の開口面積が狭くなることがあった。本来開口部は長方形に設計されているため、開口部の中央のみがたわんで狭くなると、導光材の挿入が困難になる。このことにより、従来の吸入パネルの構成では、樹脂成型時、及び工場ラインでの透明材挿入時に特別の注意を必
要としていた。
【０００９】
本発明は上記の課題を解決するもので、吸入パネル中央の開口部の構造強度を向上し、たわみを防止すること、更に導光材挿入を省略し、コスト合理化及び組立工程の簡略化を提供することを目的とする。
【課題を解決するための手段】
【００１０】
前記従来の課題を解決するために、本発明の吸入パネル中央の開口部には、等間隔に縦リブを設けている。縦リブの厚みは、オートクリーンユニットのＬＥＤの径に対し、１／３程度の幅に設定し、ＬＥＤの視認性を確保している。従来挿入していた透明材は省略し、パネル両面から開口部にＬＥＤ光を透過するシールを貼り付けた構成となっている。
【発明の効果】
【００１１】
本発明の吸入パネルは、従来の吸入パネルの長手方向の開口部に、縦リブを等間隔に設けることで、吸入パネルの構造強度を向上させ、樹脂成型時のたわみの発生を抑えることが可能となる。このため吸入パネル開口部に補強のための導光材を挿入する必要がなくなり、導光材の省略が可能となる。これにより、材料コストの合理化、組み立て工程の簡略化、更に工程不良の未然防止を図ることができる。
【発明を実施するための最良の形態】
【００１２】
第１の発明は、吸入パネル開口部に、縦リブを設けることで、吸入パネルの構造強度を向上させ、中央部のたわみが改善されるため、従来挿入していた導光材を省略することが可能となる。
【００１３】
第２の発明は、第１の発明の開口部縦リブの側面に勾配を設けて、シールを両面から貼り付けたものである。これにより、パネル裏面からオートクリーンユニットのＬＥＤ光が照射される際に光が拡散され、リブの影響による光の分断が緩和されて、ＬＥＤ光の視認性が向上する。
【００１４】
第３の発明は、第２の発明の開口部縦リブを、表側化粧シール貼り付け面から２ｍｍ落とした面から、裏側透明シール貼り付け面にかけて設け、シールを両面から貼り付けたものである。これにより、リブ表面から化粧シール面までにクリアランスが生じるため、パネル裏面からオートクリーンユニットのＬＥＤ光が照射される際により光が拡散されやすく、リブの影響による光の分断が緩和され、視認性が向上する。
【００１５】
第４の発明は、第３の発明の発明の開口部縦リブに、角Ｒを設け、シールを両面から貼り付けたものである。第３の発明と比較して、より光が拡散されやすく、視認性が向上する。
【００１６】
第５の発明は、第４の発明の開口縦リブを設け、表側化粧シールのＬＥＤ窓部に、拡散印刷を施したものである。拡散印刷の効果により、化粧シールを通り抜けるＬＥＤ光が拡散されるため、リブの影響による光の分断が緩和される。更に拡散印刷により、吸入パネル表面から、補強リブが視認されず、デザイン性の向上も同時に図ることが可能となる。
【００１７】
以下、本発明の実施の形態について、図面を参照しながら説明する。なお、この実施の形態によって本発明が限定されるものではない。
【００１８】
（実施の形態１）
本発名の実施の形態におけるオートクリーンユニットが搭載されている空気調和機の一部破断斜視図は図６と同じ構成であるので、図６をそのまま流用する。
【００１９】
図６において、オートクリーンユニット１の前面には開閉機構内蔵の吸入グリルがあり、吸入パネル３が空気調和機最前面に位置する。オートクリーンユニット１にはＬＥＤ２が内蔵されており、ユニット１が左右動作すると吸入パネル３中央部の開口部９からＬＥＤ２を視認できる構成となっている。
【００２０】
図１（ａ）は、本発明の第１の実施の形態における吸入パネルの斜視図、（ｂ）は、吸入パネル中央部の断面図を示すものである。
【００２１】
図１において、吸入パネル３開口部９に、表側化粧シール７貼り付け面から裏側透明シール４貼り付け面にかけ縦リブ８を等間隔に設け、シール４、７を両面から貼り付けたものである。縦リブ８を設けることで、吸入パネルの構造強度を向上させ、中央部のたわみが改善されるため、従来挿入していた導光材を省略することが可能となる。
【００２２】
（実施の形態２）
図２（ａ）は、本発明の第２の実施の形態における吸入パネルの斜視図、（ｂ）は、吸入パネル中央部の断面図を示すものである。
【００２３】
図２において、開口部９の縦リブ８の側面に勾配を設けて、シール４、７を両面から貼り付けたものである。これにより、パネル３裏面からオートクリーンユニット１のＬＥＤ２の光が照射される際に光が拡散され、リブ８の影響による光の分断が緩和されて、ＬＥＤ２の光の視認性が向上する。
【００２４】
（実施の形態３）
図３（ａ）は、本発明の第３の実施の形態における吸入パネルの斜視図、（ｂ）は、吸入パネル中央部の断面図を示すものである。
【００２５】
図３において、開口部９の縦リブ８を、表側化粧シール７貼り付け面から２ｍｍ落とした面から、裏側透明シール４貼り付け面にかけて設け、シール４、７を両面から貼り付けたものである。これにより、リブ８の表面から化粧シール４、７の面までにクリアランスが生じるため、パネル３裏面からオートクリーンユニット１のＬＥＤ２の光が照射される際により光が拡散されやすく、リブ８の影響による光の分断が緩和され、視認性が向上する。
【００２６】
（実施の形態４）
図４（ａ）は、本発明の第４の実施の形態における吸入パネルの斜視図、（ｂ）は、吸入パネル中央部の断面図を示すものである。
【００２７】
図４において、開口部９の縦リブ８に、角Ｒを設け、シール４、７を両面から貼り付けたものである。光の分断が角Ｒにより緩和され、より光が拡散されやすく、リブ８による視認性が向上する。
【００２８】
更に、表側化粧シール４に、拡散印刷を施すことで、化粧シール４を通り抜けるＬＥＤ２の光が拡散されるため、リブ８の影響による光の分断が緩和される。更に拡散印刷により、吸入パネル３表面から、補強リブ８が視認されず、デザイン性の向上も同時に図ることが可能となる。
【産業上の利用可能性】
【００２９】
本発明の吸入パネルは表示部補助ＬＥＤの光を遮断することなく、横長の穴形状の表示部の補強を行うことができるので、長方形スリット形状で光を透過させるさまざまな機構
に適用できる。
【図面の簡単な説明】
【００３０】
【図１】（ａ）本発明の実施の形態１における吸入パネルの斜視図（ｂ）吸入パネル中央部の断面図
【図２】（ａ）本発明の実施の形態２における吸入パネルの斜視図（ｂ）吸入パネル中央部の断面図
【図３】（ａ）本発明の実施の形態３における吸入パネルの斜視図（ｂ）吸入パネル中央部の断面図
【図４】（ａ）本発明の実施の形態４における吸入パネルの斜視図（ｂ）吸入パネル中央部の断面図
【図５】従来の吸入パネルの要部斜視図
【図６】従来のオートクリーンユニットが搭載されている空気調和機の一部破断斜視図
【図７】従来のオートクリーンユニット搭載の空気調和機の断面図
【図８】不透明樹脂と透明シール、飾り台で構成された吸入パネルの要部断面図
【符号の説明】
【００３１】
１  オートクリーンユニット
２  ＬＥＤ
３  吸入パネル
４  透明シール
５  飾り台
６  導光材
７  化粧シール
８  補強リブ
９  開口部
１０  引っ掛け部
１１  爪形状
【図１】
2008032331.tif 000003
【図２】
2008032331.tif 000004
【図３】
2008032331.tif 000005
【図４】
2008032331.tif 000006
【図５】
2008032331.tif 000007
【図６】
2008032331.tif 000008
【図７】
2008032331.tif 000009
【図８】
2008032331.tif 000010